(57)【特許請求の範囲】
【請求項１】
（ア）左右に水平に延びるとともに、室内に臨む面に開口する換気口を長手方向に並べて多数形成し、室内に臨む面において上記換気口の上方および下方にそれぞれ上係合溝および下係合溝を形成してなる装置本体と、
（イ）上記装置本体の長手方向に延びて装置本体に着脱可能に取り付けられ、上記換気口を遮蔽するフィルタと、
（ウ）上記装置本体の長手方向に延び、装置本体の上記換気口に連なる多数の換気孔を有し、下側部が装置本体の下係合溝に挿入され、上側部が装置本体の上係合溝に上下方向の遊びを有して挿入されることにより、装置本体に挿脱可能に支持され、これにより、上記フィルタを装置本体に保持するフィルタ押えと、
を備えたサッシ戸用換気装置において、
上記装置本体の室内側に臨む面に、雄の面ファスナが、上記上係合溝と下係合溝との間に位置しかつ上記装置本体の長手方向に間隔をおいて複数固定され、
上記面ファスナには室内に向かって突出する多数の係止片が設けられ、
上記フィルタが不織布からなり上記面ファスナに直接に係脱可能に取り付けられ、
さらに上記フィルタが、上記下係合溝より上方に位置し上記上係合溝より下方に位置するとともに、上記フィルタ押えの室外側の面に形成された凹部に収容され、
上記面ファスナとフィルタとフィルタ押えが重なって配置されていることを特徴とする換気装置のフィルタ取付構造。      
【請求項２】
上記フィルタはその左右両端部だけで左右２つの面ファスナに取り付けられることを特徴とする請求項１に記載の換気装置のフィルタ取付構造。
【発明の詳細な説明】
【技術分野】
【０００１】
この発明は、室内に流入する空気に含まれる塵埃等を除去するフィルタを、装置本体に容易に取り付けることができるようにした換気装置のフィルタ取付構造に関する。
【背景技術】
【０００２】
従来、換気装置の一つとして換気框がある。この換気框においては、框本体（装置本体）に多数の換気口が設けられている。各換気口は、框本体の室内に臨む表面に開口しており、当該開口部は框本体に設けられたフィルタによって覆われている。そして、換気口から室内に流入する空気を清浄にするために、当該空気に含まれる塵埃等をフィルタで除去するようになっている。
【０００３】
換気框のフィルタは、目詰まりによる換気効率の低下を未然に防止するために、比較的短い間隔で交換ないしは清掃する必要がある。そこで、フィルタは、框本体に容易に着脱し得るように取り付けることが要望される。
【０００４】
このような要望に応えるために、下記特許文献１に記載のものにおいては、框本体の室内に臨む表面に取付部材を設ける一方、フィルタが着脱可能に取り付けられたフィルタ支持部材の框本体と対向する背面に切欠き部を形成している。そして、取付部材を切欠き部に係脱可能に係合させることにより、フィルタ支持部材を框本体に着脱可能に取り付け、それによってフィルタを框本体に着脱可能に取り付けるようにしている。
【０００５】
【特許文献１】特開平１１−２２３０７７号公報
【発明の開示】
【発明が解決しようとする課題】
【０００６】
上記特許文献１に記載の取付構造においては、取付部材及び切欠き部の形状寸法を正確に一致させないと、框本体に取り付けられたフィルタ支持部材がガタついてしまう。また、取付部材及び切欠き部は通常複数形成されるが、それらの間隔を正確に一致させないと、各取付部を各切欠き部に係合させることができなくなってしまう。そこで、取付部材及び切欠き部については、形状、寸法精度を高精度にする必要があり、そのため製造費が嵩むという問題があった。また、切欠き部の取付部材に対する位置合わせが難しく、フィルタ支持部材の框本体への取付が比較的困難であるという問題があった。
【課題を解決するための手段】
【０００７】
この発明は、上記の問題を解決するためになされたものであり、（ア）左右に水平に延びるとともに、室内に臨む面に開口する換気口を長手方向に並べて多数形成し、室内に臨む面において上記換気口の上方および下方にそれぞれ上係合溝および下係合溝を形成してなる装置本体と、（イ）上記装置本体の長手方向に延びて装置本体に着脱可能に取り付けられ、上記換気口を遮蔽するフィルタと、（ウ）上記装置本体の長手方向に延び、装置本体の上記換気口に連なる多数の換気孔を有し、下側部が装置本体の下係合溝の底に載るようにして下係合溝に挿入され、上側部が装置本体の上係合溝に上下方向の遊びを有して挿入されることにより、装置本体に挿脱可能に支持され、これにより、上記フィルタを装置本体に保持するフィルタ押えと、を備えたサッシ戸用換気装置において、上記装置本体の室内側に臨む面に、雄の面ファスナが、上記上係合溝と下係合溝との間に位置しかつ上記装置本体の長手方向に間隔をおいて複数固定され、上記面ファスナには室内に向かって突出する多数の係止片が設けられ、上記フィルタが不織布からなり上記面ファスナに直接に係脱可能に取り付けられ、さらに上記フィルタが、上記下係合溝より上方に位置し上記上係合溝より下方に位置するとともに、上記フィルタ押えの室外側の面に形成された凹部に収容され、上記面ファスナとフィルタとフィルタ押えが重なって配置されていることを特徴とする。
【発明の効果】
【０００８】
上記特徴構成を有する発明によれば、フィルタを装置本体に取り付ける場合には、フィルタを面ファスナに押し付け、フィルタ押えを装置本体に取り付けるだけでよい。したがって、フィルタを装置本体に容易に取り付けることができる。
【発明を実施するための最良の形態】
【０００９】
以下、この発明を実施するための最良の形態を、図面を参照して説明する。
図１〜図５は、第１の態様に係る発明を換気框（換気装置）Ａに適用した一実施の形態を示す。この実施の形態の換気框Ａは、図１及び図２に示すように、框本体（装置本体）１を有している。框本体１は、アルミニウム等の金属からなる一対の半体１Ａ，１Ｂを組み合わせて一体化することにより、断面略四角形の筒状に形成されている。框本体１の両端開口部は、硬質の樹脂からなる端板２，２によって閉じられている。框本体１は、その長手方向を左右方向に向けて水平に配置されており、その上部がサッシ戸等の上框（図示せず）に嵌め込まれるとともに、その下部にサッシ戸等のガラス板の上端部が嵌め込まれることにより、サッシ戸等の上端開口部に取り付けられている。
【００１０】
図２に示すように、框本体１は、室外Ｏに臨む外板部１１、室内Ｉに臨む内板部１２、外板部１１と内板部１２との上端部間と下端部間にそれぞれ設けられた上板部１３及び下板部１４、並びに上下の板部１３，１４の室内外方向における中間部に配置され、框本体１の内部空間を室外Ｏ側と室内Ｉ側とに二分する隔壁部１５を有している。外板部１１の下端部には、外板部１１を貫通する多数の外側換気口（換気口）１１ａが形成されている。外側換気口１１ａは、上下に細長い長方形状に形成されており、框本体１の長手方向に一列に並んで配置されている。内板部１２の上下方向における略中央部には、多数の内側換気口（換気口）１２ａが形成されている。内側換気口１２ａは、内板部１２を貫通している。したがって、内側換気口１２ａは、内板部１２の室内Ｉに臨む面に開口している。内側換気口１２ａは、上下に細長い長方形状に形成されており、框本体１の長手方向に一列に並んで配置されている。隔壁部１５の上下方向における中央部には、隔壁部１５を貫通する多数の中側換気口（換気口）１５ａが形成されている。中側換気口１５ａは、上下に細長い長方形状に形成されており、框本体１の長手方向に一列に並んで配置されている。室外Ｏと室内Ｉとは、各換気口１１ａ，１２ａ，１５ａ及び框本体１の内部空間を介して連通し、それによって室内Ｉの換気が行われるようになっている。
【００１１】
框本体１の内部空間には、開閉板３が設けられている。開閉板３は、隔壁部１５に対し室外Ｏ側に隣接するように配置されている。開閉板３の上端部は、上板部１３の下面部に框本体１の長手方向と平行に延びる軸線を中心として回動可能に支持されている。開閉板３は、図２において実線で示す閉位置と想像線で示す開位置との間を回動可能になっている。開閉板３が閉位置に位置すると、中側換気口１５ａが開閉板３によって閉じられ、ひいては室外Ｏと室内Ｉとの間が開閉板３によって遮断される。開閉板３が開位置に位置すると、中側換気口１５ａが開かれる。この結果、室外Ｏと室内Ｉとが換気口１１ａ，１５ａ，１２ａを介して連通する。
【００１２】
開閉板３の開閉操作は、框本体１の内板部１２に框本体１の長手方向へスライド可能に設けられた操作部材４によって行われるようになっており、操作部材４を図１に示す閉位置に移動させると、それに連動して開閉板３が閉位置に回動する。その一方、操作部材４を図１に示す位置から図１の右方へ開位置まで移動させると、それに連動して開閉板３が開位置に回動する。開閉板３と操作部材４との連動機構は、周知のものと同様であるのでその説明は省略する。
【００１３】
図１〜図３に示すように、内板部１２の室内Ｉに臨む面には、二つの面ファスナ５が設けられている。この面ファスナ５は、周知の一対の面ファスナのうちのいわゆる雄面ファスナと同様な構造を有しており、布、樹脂フィルム、その他の柔軟な薄い膜体からなる基部（図示せず）と、この基部の一方の面に固定された、きのこ形又はフック形等をした弾性を有する多数の係止片（図示せず）とによって構成されている。そして、面ファスナ５は、内側換気口１２ａの並び方向（図３において左右方向）の延長上に位置するように、内板部１２の両端部に配置されている。そして、基部の他方の面が内板部１２の室内Ｉに臨む面に接着等の固定手段によって固定されている。したがって、面ファスナ５の係止片は、室内Ｉ側に向かって突出している。面ファスナ５は、内板部１２の両端部のみならず、中間部にも１又は複数設けてもよい。
【００１４】
内板部１２の室内Ｉに臨む面には、薄い板状をなすフィルタ６の両端部が面ファスナ５を介して着脱可能に取り付けられている。フィルタ６は、花粉、埃、その他各種の塵埃が室外Ｏから内側換気口１２ａを通って室内Ｉに侵入するのを阻止するための機能を有しており、全ての内側換気口１２ａを覆い、それによって内側換気口１２ａを遮蔽するように配置されている。しかも、フィルタ６は、框本体１に面ファスナ５を介して着脱可能に取り付けることができるようにするために、少なくとも面ファスナ５に取り付けられるべき表面部が面ファスナ５の係止片と係脱可能に係合し得る構造を有している。そのような機能及び構造を有するフィルタ６は、不織布、織布、織網等によって構成することができる。この実施の形態では、フィルタ６が化学合成繊維等の不織布で構成されている。
【００１５】
内板部１２の室内Ｉに臨む面には、フィルタ押え７が着脱可能に設けられている。フィルタ押え７は、框本体１の長手方向における長さがフィルタ６とほぼ同一で、上下方向の幅がフィルタ６より広くなっている。そして、上側部が内板部１２の室内Ｉに臨む面に形成された上係合溝１２ｂに挿脱可能に挿入されるとともに、下側部が内板部１２の室内Ｉに臨む面に形成された下係合溝１２ｃに挿脱可能に挿入されることにより、框本体１に着脱可能に取り付けられている。フィルタ押え７は、框本体１に取り付けられた状態では、フィルタ６全体を覆うとともに、フィルタ６を内板部１２の室内Ｉに臨む面及び面ファスナ５に押し付け、フィルタ６が框本体１から室内Ｉ側に脱落するのを防止している。フィルタ押え７には、これを貫通する多数の換気孔７１が形成されている。換気孔７１は、上下に長い長方形状をなしており、框本体１の長手方向に一列に並んで配置されている。換気孔７１は、換気口１２ａとフィルタ６を介して連通している。したがって、室外Ｏから換気口１２ａを通りフィルタ６によって浄化された空気は、換気孔７１を通って室内Ｉに入り込む。
【００１６】
なお、フィルタ押え７は、その上側部を上係合溝１２ｂに挿入した後、フィルタ押え７全体を下方へ移動させてその下側部を下係合溝１２ｃに挿入することによって框本体１に取り付けることができ、逆の手順で框本体１から取り外すことができる。
【００１７】
上記構成の換気框Ａによれば、フィルタ６を框本体１に取り付ける場合には、フィルタ６を面ファスナ５に押し付けるだけでよい。したがって、フィルタ６を框本体１に容易に取り付けることができる。しかも、フィルタ６を面ファスナ５に押し付ける際には、それほど正確に位置合わせをする必要がない。したがって、フィルタ６を框本体１により一層容易に取り付けることができる。
【図面の簡単な説明】
【００２９】
【図１】第１の態様に係る発明の第１実施の形態を示す正面図である。
【図２】図１のＸ−Ｘ線に沿う拡大断面図である。
【図３】同実施の形態を、フィルタ及びフィルタ押さえを省略した状態で示す正面図である。
【図４】同実施の形態において用いられているフィルタ押さえを示す正面図である。
【図５】図４のＸ−Ｘ線に沿う拡大断面図である。
【符号の説明】
【００３０】
Ａ 換気框（換気装置）
１ 框本体（装置本体）
５ 面ファスナ
６ フィルタ
７  フィルタ押え
１２ａ  換気口
１２ｂ  上係合溝
１２ｃ  下係合溝
７１  換気孔
【図１】
0004101775.tif 000002
【図２】
0004101775.tif 000003
【図３】
0004101775.tif 000004
【図４】
0004101775.tif 000005
【図５】
0004101775.tif 000006